(57)【要約】【課題】  従来の滑り止めマットは、マット部材としての強度が無いため、収納物の出し入れで縁部分からめくれて丸まってしまったり、しわがでてしまったり等、使い勝手が悪いだけでなく、滑り止め効果が得られないという課題があった。【解決手段】  本発明の滑り止めマット１０は、方形で板状であり、収納物２０が載置される側となる一方面に滑り止め部１２が設けられ、その内部に強度を補強する補強部１６が滑り止めマット１０の内部に設けられている。また、補強部１６は滑り止めマット１０の内部から他方面に露出するとともに、滑り止め部１２が露出した補強部１６を貫通して他方面に露出したマット滑り止め部１７が設けられている。【選択図】図１
2014050662.tif 000002
【特許請求の範囲】
【請求項１】
一方面に設けられた滑り止め部と、内部に設けられた補強部と、を具備する滑り止めマット。
【請求項２】
前記滑り止め部が設けられた一方面に延出するジョイント部を備えることを特徴とする請求項１に記載の滑り止めマット。
【請求項３】
前記ジョイント部の内部に前記補強部が設けられていることを特徴とする請求項２に記載の滑り止めマット。
【請求項４】
前記補強部が他方面に露出し、当該露出した補強部を貫通して前記滑り止め部が他方面に露出していることを特徴とする請求項１乃至請求項３のいずれか１項に記載の滑り止めマット。
【請求項５】
前記滑り止め部が縁部で一方面から他方面に連続するように設けられていることを特徴とする請求項１乃至請求項４のいずれか１項に記載の滑り止めマット。
【請求項６】
前記縁部の一方面の側に斜面が設けられていることを特徴とする請求項５に記載の滑り止めマット。
【請求項７】
請求項２乃至請求項５に記載の滑り止めマットを複数用い、前記ジョイント部で連結することを特徴とする滑り止めマット。
【発明の詳細な説明】
【技術分野】
【０００１】  本発明は、本棚、オープン棚やキャビネット等に収められた書籍、書類やケースなどの収納物が地震により滑り落ちることを防止する滑り止めマットに関する。
【背景技術】
【０００２】  従来、地震や意図しない何らかの物品の衝突等における振動や揺れ及び傾きで本棚、オープン棚やキャビネット等の棚板に載置された物品の転落を防止するマットが種々提案されている。【０００３】  例えば、特許文献１には、天然又は人造繊維糸条からなるネット状基布と、このネット状基布の糸条を被覆して滑り止め表面を形成する天然又は人造重合体の含泡弾性被覆層とからなる滑り防止用下敷ネットが開示されるとともに、この特許文献１に開示される防止用下敷ネットの具体的な製品として、ポリエステル繊維のネットに塩化ビニル樹脂を付着させた滑り止めシートが安価にて販売されている。【０００４】  また、特許文献２には、優れた通気性と滑り止め性を兼ね備えた滑り止め用マットとして、熱可塑性弾性樹脂を原料とする連続線状体（ストランド）が三次元ランダム状に交絡するとともに、該線状体同士の交絡部の少なくとも一部が融着してなるマット状物が開示されている。
【先行技術文献】
【特許文献】
【０００５】
【特許文献１】  特公昭５５−１２２５１号公報
【特許文献２】  特開２００５−１９９０３３号公報
【発明の概要】
【発明が解決しようとする課題】
【０００６】  しかしながら、特許文献１や特許文献２に開示される滑り止めマットは、糸条からなるネット状基布または連続線状体のため、棚板に納めた収納物の出し入れにより破けたり千切れたりしてしまう課題があった。【０００７】  また、特許文献１や特許文献２に開示される滑り止めマットは、マット部材としての強度が無いため、収納物の出し入れで縁部分からめくれて丸まってしまったり、しわがでてしまったり等、使い勝手が悪いだけでなく、滑り止め効果が得られないという課題があった。
【課題を解決するための手段】
【０００８】  この発明の目的は、上述した事情に鑑みなされたもので、容易に設置できるとともに、確実に収納物が滑り落ちることを防止可能な滑り止めマットを提供することである。【０００９】  また、この発明の別の目的は、めくれ、しわや変形が発生せず、収納物のくり返し出し入れに耐えること可能な滑り止めマットを提供することである。【００１０】  さらに、この発明の別の目的は、棚板の材質によらず安定した滑り止めの効果が得られる滑り止めマットを提供することである。【００１１】  上述した課題を解決し、目的を達成するため、この発明に係わる滑り止めマットは、請求項１の記載によれば、一方面に設けられた滑り止め部と、内部に設けられた補強部と、を具備する。【００１２】  また、この発明に係わる滑り止めマットは、請求項２の記載によれば、前記滑り止め部が設けられた一方面に延出するジョイント部を備えることを特徴とする。【００１３】  また、この発明に係わる滑り止めマットは、請求項３の記載によれば、前記ジョイント部の内部に前記補強部が設けられていることを特徴とする。【００１４】  また、この発明に係わる滑り止めマットは、請求項４の記載によれば、前記補強部が他方面に露出し、当該露出した補強部を貫通して前記滑り止め部が他方面に露出していることを特徴とする。【００１５】  また、この発明に係わる滑り止めマットは、請求項５の記載によれば、前記滑り止め部が縁部で一方面から他方面に連続するように設けられていることを特徴とする。【００１６】  また、この発明に係わる滑り止めマットは、請求項６の記載によれば、前記縁部の一方面の側に斜面が設けられていることを特徴とする。【００１７】  また、この発明に係わる滑り止めマットは、請求項７の記載によれば、滑り止めマットを複数用い、前記ジョイント部で連結することを特徴とする。
【発明の効果】
【００１８】  この発明によれば、容易に設置できるとともに、確実に収納物が滑り落ちることを防止可能な滑り止めマットを提供することが可能となる。【００１９】  また、この発明によれば、めくれ、しわや変形が発生せず、収納物のくり返し出し入れに耐えること可能な滑り止めマットを提供することが可能となる。【００２０】  さらに、この発明によれば、棚板の材質によらず安定した滑り止めの効果が得られる滑り止めマットを提供することが可能となる。
【図面の簡単な説明】
【００２１】
【図１】  本発明の滑り止めマットの表面図
【図２】  本発明の滑り止めマットの裏面図
【図３】  本発明の別の滑り止めマットの表面図
【図４】  本発明の滑り止めマットの断面裏面図
【図５】  本発明の滑り止めマットの取り付け例を示す図
【発明を実施するための形態】
【実施例】
【００２２】  以下に図面を用いて本発明の滑り止めマット１０を説明する。図１は、本発明の滑り止めマット１０の表面図である。図２は、滑り止めマット１０の裏面図である。図３は、別の滑り止めマット１１の表面図である。図４は、滑り止めマット１０の断面裏面図である。図５は、滑り止めマット１０の取り付け例を示す図である。【００２３】  図５は、本発明の滑り止めマット１０の取り付け例を示す図である。この図５において、滑り止めマット１０は、本棚の棚板３２に載置された収納物２０としての書籍が地震により滑り落ちることを防止するために用いられている。なお、オープン棚、キャビネット、机や什器等のように、収納物２０が載置される棚板、棚面等を有する器具や家具であれば、本発明の滑り止めマット１０が適用可能である。また、収納物２０は書籍に限定されるものではなく、書類やケース等どのようなものでも良い。【００２４】  図５によれば、地震等による振動に対して滑り落ちを防止したい収納物２０としての書籍は、硬質の紙等の素材で形成される２枚の表紙２２と、２枚の表紙２２の各々の一辺を接続する、表紙２２と同じ素材で形成される背表紙２４と、２枚の表紙２２で挟まれる空間に設けられる書籍本体２６とから構成されている。【００２５】  この収納物２０としての書籍が載置される棚板３２は、いわゆる本棚の棚であり、一般にその表面は滑らかに加工されているので書籍の出し入れをスムーズに行うことができる。しかしながら、その表面の滑らかさのために、地震等の振動により書籍が棚板３２から滑り落ちてしまうことがあった。【００２６】  本発明の滑り止めマット１０は、図１、図２及び図５に示すように方形で板状であり、収納物２０が載置される側となる一方面に滑り止め部１２が設けられている。なお、滑り止めマット１０の縁部１８の一方面の側に設けられた斜面１４により、収納物２０をスムーズに出し入れすることが可能で、かつ、滑り止めマット１０のめくれやしわ、変形が発生しにくくなっている。【００２７】  この滑り止め部１２は、各種エラストマ（ゴム状の弾性を有する材料）であり、具体的には、天然ゴム、合成ゴム、ウレタンゴム、シリコーンゴム、フッ素ゴムや、熱可塑性エラストマ（ポリエステル系樹脂、ポリオレフィン系樹脂、塩化ビニル系樹脂、ナイロン系樹脂、フッ素系樹脂、生分解性樹脂等）であって、棚板３２と滑り止めマット１０との間、及び、収納物２０と滑り止めマット１０との間の静止摩擦係数が０．５以上、好ましくは１．０以上の部材を用いている。なお、滑り止め部１２の表面や縁部１８に溝や凹凸を設けることにより、さらに滑り止め効果を大きくすることも可能である。【００２８】  上述のように、弾性を有する、即ち比較的柔らかい滑り止めマット１０は、めくれやしわ、変形を発生しやすい。これを防止するために、図２及び図４に示すとおり、強度を補強する補強部１６が滑り止めマット１０の内部に設けられている。【００２９】  この補強部１６は、各種合成樹脂（熱硬化性樹脂、熱可塑性樹脂、各種プラスチック等）、各種金属や各種複合材料等、滑り止め部１２と比較して強度の高い材料となっている。なお、図１、図２に示される本発明の滑り止めマット１０は構造が��干複雑であるので、補強部１６に熱可塑性樹脂を用いるとダブルモールド（二色成型）を用いることが可能となるので、製造しやすくなる。【００３０】  また、図２に示す滑り止めマット１０では、補強部１６が滑り止めマット１０の内部から他方面に露出するとともに、滑り止め部１２が露出した補強部１６を貫通して他方面に円形状に露出してマット滑り止め部１７を構成している。なお、このマット滑り止め部１７は、滑り止め部１２に連続した同一材料で必要な弾力性と十分な静止摩擦係数を有しているので、滑り止めマット１０を棚板３２上の収納物２０を出し入れする側の縁に置くだけで、一方面に収納物２０が載置されていても、また、棚板３２の材質や表面がどのような状態であっても、滑り止めマット１０自身が滑り落ちることを確実に防止することになる。【００３１】  なお、マット滑り止め部１７の形状、大きさや配置等は、図２に示すものに限定されるものではなく、どのような形状としても良い。また、滑り止め部１２の他方面での露出は、補強部１６が滑り止めマット１０の内部に完全に隠れてしまう、即ち、滑り止め部１２が他方面全体を覆うようにしても良い。【００３２】  また、図４に示すとおり、本発明の滑り止めマット１０は、滑り止め部１２が、内部に補強部１６を有しない状態で縁部１８の一方面から他方面に連続するように設けられている。この結果、縁部１８は滑り止め部１２の材質の特性である弾性を損なうことがないので、滑り止めマット１０自身の滑り落ちを防止するブレーキとなる。【００３３】  また、本発明の滑り止めマット１０は、図１及び図２に示すように、滑り止め部１２が設けられた一方面に延出する凹凸であるジョイント部１９を１カ所備えている。この１カ所のジョイント部１９は、方形である滑り止めマット１０の向かい合った一組の辺の一方に設けられており、その凹凸形状は、２枚の滑り止めマット１０のジョイント部１９を向かい合わせた際に連結できる形状となっている。【００３４】  また、図３によれば、本発明の別の滑り止めマット１１は、方形である滑り止めマット１０の向かい合った一組の辺の両方にジョイント部１９を２カ所備えている。なお、図１乃至図３に示すとおり、滑り止めマット１０と別の滑り止めマット１１に設けられたジョイント部１９は、向かい合わせた際に連結できる形状となっている。このため、例えば、滑り止めマット１０を２枚と別の滑り止めマット１１を１枚用いて連結することで、滑り止めマット１０及び別の滑り止めマット１１が容易に滑り落ちなくすることが可能である。またさらに、滑り止めマット１０と別の滑り止めマット１１を複数枚組み合わせて連結することで、様々な本棚の棚間口寸法にあわせて本発明の滑り止めマットを利用することが可能となる。【００３５】  また、このジョイント部１９の内部には、図２に示すとおり、補強部１６が設けられている。このジョイント部１９の内部の補強部１６により、複数の滑り止めマット１０を連結した場合であっても、載置された収納物２０が一方面を滑りながら移動することによる連結の解除が防止され、また、連結部分を原因とするめくれ、しわや変形が防止される。【００３６】  以上のように、本発明の滑り止めマット１０は、棚板に置くだけという容易な設置方法であるにも拘わらず、滑り止め部１２により収納物２０の滑り落ちを確実に防止可能となっている。【００３７】  また、本発明の滑り止めマット１０は、滑り止め部１２の内部に補強部１６を設けたことにより、めくれ、しわや変形が発生せず、どのような状態であっても収納物２０の滑り落ちを防止可能となっている。【００３８】  さらに、本発明の滑り止めマット１０は、滑り止め部１２が他方面にも露出しているので、棚板３２の材質によらず安定した滑り止めの効果が得られる。【００３９】  またさらに、本発明の滑り止めマット１０は、従来の滑り止めマットを構成する糸状の滑り止め部の代わりに、板状の各種エラストマを滑り止め部として用いているので、収納物のくり返し出し入れに耐えること可能となっている。
【符号の説明】
【００４０】１０・・滑り止めマット、１１・・別の滑り止めマット、１２・・滑り止め部、１４・・斜面、１６・・補強部、１７・・マット滑り止め部、１８・・縁部、１９・・ジョイント部、２０・・収納物（書籍）、２２・・表紙、２４・・背表紙、２６・・書籍本体、３２・・棚板
【図１】
2014050662.tif 000003
【図２】
2014050662.tif 000004
【図３】
2014050662.tif 000005
【図４】
2014050662.tif 000006
【図５】
2014050662.tif 000007